(57)【要約】【課題】建物開口部の開口部枠内に張設しているスクリーンの緊張度の調整を簡単に行うことを可能にし、経時的な緊張度の変動にも対応できるスクリーン装置を提供する。【解決手段】スクリーン４の左右側端を側枠２の縦レール５に係合させたスクリーン装置において、上下横枠３に沿ってスクリーンの張り調整部材６とそれを覆うカバー部材７を取り付ける。カバー部材７の開放口部８の一方の口縁は、横枠の係合部１ａに係合させ、他方の口縁の内側係合縁７ｂは、一対の側枠２の上下部のブラケット１２に係合保持させ、カバー部材７に設けた筒状部９に、スクリーン４の端部と、スクリーンのガイド面６ａを有する張り調整部材６とを取り付け、スクリーン張設面に導出するスクリーンをガイドさせる。スクリーン張設面のスクリーンの弛みに応じて、張り調整部材６のガイド面６ａの幅、数、或いは取付位置を選択することにより、スクリーンの緊張度を調整する。【選択図】図３
2018204250.tif 000002
【特許請求の範囲】
【請求項１】
建物開口部に張設するスクリーンの左右側端に沿ってそれぞれ設けた係合子を、該建物開口部における一対の側枠にそれぞれ設けた縦レールのスリットの内側に係合させて、該側枠間にスクリーンを張設するようにしたスクリーン装置において、
上記建物開口部の上下の横枠に沿ってそれぞれ取り付けるところの、スクリーンの張り調整部材を覆う一対のカバー部材が、該カバー部材の開放口部の一方の口縁に形成された外側係合縁と、他方の口縁に形成された内側係合縁とをそれぞれ備え、
上記外側係合縁を、それぞれ上記横枠の枠内面に沿って設けられた係合部に係合させると共に、上記内側係合縁の両端部を、上記建物開口部の一対の側枠の上下部に設けたブラケットにそれぞれ係合保持させることにより、該カバー部材で上記張り調整部材の配設空間を被覆させ、
上記一対のカバー部材における内側係合縁に沿って設けた筒状部に、上記スクリーンの上下対向端に設けた係合子を係合させるスリットをそれぞれ設けると共に、該筒状部に係脱自在に取り付け可能にした上記張り調整部材を、上記スリットに係合子を係合させて上記カバー部材内からその開放口部を経てスクリーン張設面に導出するスクリーンの内側面に当接させるガイド面を有するものとして、カバー部材から導出するスクリーンをガイドさせ、
上記スクリーン張設面におけるスクリーンの弛みに応じて、上記カバー部材の内側係合縁に対して部分的に取り付ける上記張り調整部材のガイド面の幅、数、或いは取付位置を選択することにより、スクリーンの全体的な緊張度を調整可能に構成している、
ことを特徴とするスクリーン装置。
【請求項２】
建物開口部に張設するスクリーンの左右側端に沿ってそれぞれ設けた係合子を、該建物開口部における一対の側枠にそれぞれ設けた縦レールのスリットの内側に係合させて、該側枠間にスクリーンを張設すると共に、該スクリーンの上下のいずれか一端を上下の横枠の一方に取り付けたスクリーン装置において、
上記建物開口部の上下の横枠の他方に沿って取り付けるところの、スクリーンの張り調整部材を覆うカバー部材が、該カバー部材の開放口部の一方の口縁に形成された外側係合縁と、他方の口縁に形成された内側係合縁とをそれぞれ備え、
上記外側係合縁を、上記他方の横枠の枠内面に沿って設けられた係合部に係合させると共に、上記内側係合縁の両端部を、上記建物開口部の一対の側枠における上記他方の横枠側のブラケットに係合保持させることにより、該カバー部材で上記張り調整部材の配設空間を被覆させ、
上記カバー部材における内側係合縁に沿って設けた筒状部に、前記横枠に一端を取り付けた上記スクリーンの他端側に設けた係合子を係合させるスリットを設けると共に、該筒状部に係脱自在に取り付け可能にした上記張り調整部材を、上記スリットに係合子を係合させて上記カバー部材内からその開放口部を経てスクリーン張設面に導出するスクリーンの内側面に当接させるガイド面を有するものとして、カバー部材から導出するスクリーンをガイドさせ、
上記スクリーン張設面におけるスクリーンの弛みに応じて、上記カバー部材の内側係合縁に対して部分的に取り付ける上記張り調整部材のガイド面の幅、数、或いは取付位置を選択することにより、スクリーンの全体的な緊張度を調整可能に構成している、
ことを特徴とするスクリーン装置。
【請求項３】
上記張り調整部材におけるガイド面を、弾性的な湾曲状態でスクリーンの内側面に当接させるものとしている、
ことを特徴とする請求項１又は２に記載のスクリーン装置。
【請求項４】
上記張り調整部材を、上記カバー部材における内側係合縁に沿う上記筒状部に係脱自在の係合部が、上記ガイド面の表裏両面側に対称状に形成されたものとし、両係合部により上記ガイド面を反転して筒状部に取り付けてスクリーンの内側面に当接可能に形成している、
ことを特徴とする請求項３に記載のスクリーン装置。
【請求項５】
内側係合縁に対して部分的に取り付ける張り調整部材を、素材の弾力性に差異があるものと混用し、スクリーンの緊張度を調整可能に構成している、
ことを特徴とする請求項１又は２に記載のスクリーン装置。
【請求項６】
請求項１〜５のいずれかに記載のスクリーン装置を用いてスクリーンの緊張度を調整する方法であって、
スクリーン張設面におけるスクリーンの弛みに応じて、建物開口部における横枠に取り付けた上記カバー部材を取り外し、該カバー部材の内側係合縁に設けた筒状部に対して部分的に取り付けている張り調整部材のガイド面の幅、数、或いは取付位置を変更することにより、スクリーンの全体的な緊張度を調整する、
ことを特徴とするスクリーン装置におけるスクリーンの緊張度調整方法。
【発明の詳細な説明】
【技術分野】
【０００１】
本発明は、防虫、遮光、断熱、目隠し、花粉の侵入防止等のためのスクリーンの緊張度について、その調整を容易に可能にすると共に、スクリーンの張設後における該緊張度の変動にも対応して、その緊張度を可及的に均一に調整できるようにしたスクリーン装置、及び該スクリーン装置におけるスクリーンの緊張度調整方法に関するものである。
【背景技術】
【０００２】
建物開口部の開口部枠内にスクリーンを取り付けるに当たり、簡単な操作で該スクリーンに適度の緊張力を付与することを可能にしたスクリーン装置は、特許文献１等に開示されて既に知られている。
しかしながら、該特許文献１に開示のスクリーンの緊張機構では、全体的にスクリーンの緊張度を維持することができても、経年的な建物の変形やその一部のゆがみ等に伴ってスクリーンに全体的或いは部分的な弛みが生じたりした場合に対応して、スクリーンの緊張度を均一化することには困難性があり、また、スクリーンの清掃やメンテナンスを行ってそのスクリーンを再張設したり、破損したスクリーンを新しいスクリーンと交換したりする場合にも、該スクリーンの緊張度を均一に弛みのない状態に調整することには大きな困難性がある。
【０００３】
また、一般的に建物開口部における開口部枠は、規定の寸法に正確に施工されているとは限らず、施工後においても経時的な変形や、各種原因に基づく変形が生じ、それらの変形は建物開口部に張設するスクリーンの緊張度に大きな影響を与えるものである。そのため、施工時にスクリーンを適切な緊張状態にすることにも困難性があるが、適切な緊張状態にすることができたとしても、その緊張状態が維持されるとは限らず、全体的或いは部分的に弛みが生じることも多く、スクリーンを綺麗な緊張状態に維持するためには、スクリーンが取り付けられている開口部枠に、簡単に全体的又は部分的に生じた弛みを除去するための手段を付設しておくことが望まれる。
【先行技術文献】
【特許文献】
【０００４】
【特許文献１】特開２０１５−１１３５６６号公報
【発明の概要】
【発明が解決しようとする課題】
【０００５】
本発明の技術的課題は、建物開口部の開口部枠内に張設しているスクリーンの緊張度の調整を簡単に行うことを可能にすると共に、スクリーンの張設後における緊張度の変動にも対応して、その緊張度を可及的に均一で適切な程度に調整することを可能にしたスクリーン装置、及び該スクリーン装置におけるスクリーンの緊張度調整方法を提供することにある。
【課題を解決するための手段】
【０００６】
上記課題を解決するため、本発明によれば、建物開口部に張設するスクリーンの左右側端に沿ってそれぞれ設けた係合子を、該建物開口部における一対の側枠にそれぞれ設けた縦レールのスリットの内側に係合させて、該側枠間にスクリーンを張設するようにしたスクリーン装置において、上記建物開口部の上下の横枠に沿ってそれぞれ取り付けるところの、スクリーンの張り調整部材を覆う一対のカバー部材が、該カバー部材の開放口部の一方の口縁に形成された外側係合縁と、他方の口縁に形成された内側係合縁とをそれぞれ備え、上記外側係合縁を、それぞれ上記横枠の枠内面に沿って設けられた係合部に係合させると共に、上記内側係合縁の両端部を、上記建物開口部の一対の側枠の上下部に設けたブラケットにそれぞれ係合保持させることにより、該カバー部材で上記張り調整部材の配設空間を被覆させ、上記一対のカバー部材における内側係合縁に沿って設けた筒状部に、上記スクリーンの上下対向端に設けた係合子を係合させるスリットをそれぞれ設けると共に、該筒状部に係脱自在に取り付け可能にした上記張り調整部材を、上記スリットに係合子を係合させて上記カバー部材内からその開放口部を経てスクリーン張設面に導出するスクリーンの内側面に当接させるガイド面を有するものとして、カバー部材から導出するスクリーンをガイドさせ、上記スクリーン張設面におけるスクリーンの弛みに応じて、上記カバー部材の内側係合縁に対して部分的に取り付ける上記張り調整部材のガイド面の幅、数、或いは取付位置を選択することにより、スクリーンの全体的な緊張度を調整可能に構成していることを特徴とするスクリーン装置が提供される。
【０００７】
また、上記課題を解決するため、本発明によれば、建物開口部に張設するスクリーンの左右側端に沿ってそれぞれ設けた係合子を、該建物開口部における一対の側枠にそれぞれ設けた縦レールのスリットの内側に係合させて、該側枠間にスクリーンを張設すると共に、該スクリーンの上下のいずれか一端を上下の横枠の一方に取り付けたスクリーン装置において、上記建物開口部の上下の横枠の他方に沿って取り付けるところの、スクリーンの張り調整部材を覆うカバー部材が、該カバー部材の開放口部の一方の口縁に形成された外側係合縁と、他方の口縁に形成された内側係合縁とをそれぞれ備え、上記外側係合縁を、上記他方の横枠の枠内面に沿って設けられた係合部に係合させると共に、上記内側係合縁の両端部を、上記建物開口部の一対の側枠における上記一方の横枠側のブラケットに係合保持させることにより、該カバー部材で上記張り調整部材の配設空間を被覆させ、上記カバー部材における内側係合縁に沿って設けた筒状部に、前記横枠に一端を取り付けた上記スクリーンの他端側に設けた係合子を係合させるスリットを設けると共に、該筒状部に係脱自在に取り付け可能にした上記張り調整部材を、上記スリットに係合子を係合させて上記カバー部材内からその開放口部を経てスクリーン張設面に導出するスクリーンの内側面に当接させるガイド面を有するものとして、カバー部材から導出するスクリーンをガイドさせ、上記スクリーン張設面におけるスクリーンの弛みに応じて、上記カバー部材の内側係合縁に対して部分的に取り付ける上記張り調整部材のガイド面の幅、数、或いは取付位置を選択することにより、スクリーンの全体的な緊張度を調整可能に構成していることを特徴とするスクリーン装置が提供される。
【０００８】
本発明に係るスクリーン装置の好ましい実施形態においては、上記張り調整部材におけるガイド面を、弾性的な湾曲状態でスクリーンの内側面に当接させるものとして構成され、その場合に、上記張り調整部材を、上記カバー部材における内側係合縁に沿う上記筒状部に係脱自在の係合部が、上記ガイド面の表裏両面側に対称状に形成されたものとし、両係合部により上記ガイド面を反転して筒状部に取り付けてスクリーンの内側面に当接可能に形成することもできる。
また、本発明に係るスクリーン装置の他の好ましい実施形態においては、内側係合縁に対して部分的に取り付ける張り調整部材を、素材の弾力性に差異があるものと混用し、スクリーンの緊張度を調整可能に構成することができる。
【０００９】
更に、上記課題を解決するため、本発明によれば、上述した構成のスクリーン装置を用い、スクリーン張設面におけるスクリーンの弛みに応じて、建物開口部における横枠に取り付けた上記カバー部材を取り外し、該カバー部材の内側係合縁に設けた筒状部に対して部分的に取り付けている張り調整部材のガイド面の幅、数、或いは取付位置を変更することにより、スクリーンの全体的な緊張度を調整することを特徴とするスクリーンの緊張度調整方法が提供される。
【発明の効果】
【００１０】
上述した本発明のスクリーン装置、並びに、該スクリーン装置におけるスクリーンの緊張度調整方法によれば、建物開口部の開口部枠内に張設しているスクリーンの緊張度の調整を簡単に行うことを可能にすると共に、スクリーンの張設後における緊張度の変動にも対応して、その緊張度を可及的に均一で適切な程度に調整することを可能にすることができる。
【図面の簡単な説明】
【００１１】
【図１】本発明に係るスクリーン装置の第１実施例を示す縦断正面図である。
【図２】図１のＡ−Ａ位置での断面図である。
【図３】同実施例の側断面図である。
【図４】図３の一部拡大図である。
【図５】張り調整部材の変形例についての図２と同位置での側断面図である。
【図６】建物開口部における開口部枠が変形している場合のスクリーンの緊張度の調整についての説明図である。
【図７】建物開口部における開口部枠が他の変形状態にある場合のスクリーンの緊張度の調整についての説明図である。
【図８】本発明に係るスクリーン装置の第２実施例の縦断正面図である。
【図９】同実施例の側断面図である。
【発明を実施するための形態】
【００１２】
図面は本発明に係るスクリーン装置の第１実施例を示している。このスクリーン装置は、防虫、遮光、断熱、目隠し、花粉の侵入防止等のためのスクリーンについて、以下に詳述するように、その全体的或いは部分的な緊張度の調整を可能にすると共に、スクリーンの張設後における緊張度の変動にも対応して、その緊張度を全体として可及的に均一に調整可能にするものである。
【００１３】
図１乃至図４を参照して本発明の基本的な第１実施例の構成について具体的に説明すると、このスクリーン装置においては、建物開口部における開口部枠１の一対の側枠２，２に、それぞれスクリーン４の側端を保持する縦レール５を設け、該側枠２，２間に張設するスクリーン４の左右側端に沿って、それぞれ多数の係合子４ａを設けて、該係合子４ａを上記縦レール５に設けたスリット５ａの内側に係合させることにより、該側枠２，２間にスクリーン４を張設するように構成している。
【００１４】
また、このスクリーン装置においては、上記スクリーン４に対して、建物開口部における開口部枠１の上下方向に緊張力を作用させるため、開口部枠１における上下の横枠３，３に沿って、それぞれ、以下に説明するスクリーン４の張り調整部材６を設けると共に、該一対の張り調整部材６に、それらを覆うためのカバー部材７をそれぞれ設けるようにしている。なお、この張り調整部材６によって、スクリーン４に対し以下に詳述する上下方向の緊張力を付与すると、縦横方向に伸縮する弾性体としてのスクリーン４は、横方向に収縮することになり、この収縮量を予測して、上記側枠２，２に設ける縦レール５のスリット５ａ，５ａ間の長さと、スクリーン４の左右側端に沿って設ける係合子４ａの取付部間の長さとの差を、スクリーン４に付与される横方向の緊張度が適切な範囲に収まるよう設定しておくことによって、スクリーン４に対して上下方向の緊張力を付与すると、該スクリーン４は横方向にも適度に緊張することになる。
【００１５】
上記カバー部材７は、上記上下の横枠３，３に沿って取り付けるものであり、そのため該カバー部材７には、その開放口部８の一方の口縁に形成された外側係合縁７ａと、他方の口縁に形成された内側係合縁７ｂとをそれぞれ備え、上記外側係合縁７ａを、それぞれ上記開口部枠１の上下の横枠３，３の枠内面に沿って設けた係合部１ａ，１ａに係合させると共に、上記内側係合縁７ｂの両端部を、上記開口部枠１の一対の側枠２，２の上下両端に設けたブラケット１２，１２における係合部１２ａ，１２ａにそれぞれ係合保持させている。
【００１６】
そのため、上記外側係合縁７ａと内側係合縁７ｂとの間における張り調整部材６の配設空間は、上記カバー部材７，７により被覆され、また、上記カバー部材７，７は内側係合縁７ｂの両端部を押し上げることにより、下部のブラケット１２に対する係合を外したうえで、上記係合部１ａに対する外側係合縁７ａの係合を外すことにより、スクリーン４のメンテナンス等のためにカバー部材７を取り外すことができる。
【００１７】
上記一対のカバー部材７，７における内側係合縁７ｂ，７ｂは、上述のように、その両端部のみをブラケット１２，１２にそれぞれ係合保持されているため、スクリーン４の緊張のための力が該内側係合縁７ｂ，７ｂに強く作用する可能性をも考慮し、該内側係合縁７ｂ，７ｂに沿うように隣接させて筒状部９を付設することにより、該内側係合縁に直線状を維持するための補強を行い、該筒状部９には、張設すべきスクリーン４の上下対向端に沿って設けた多数の係合子４ｂを係合させるスリット１０をそれぞれ設けると共に、該筒状部９に係止片１１ａを設けて、上記張り調整部材６をそれに設けた係合部片１１ｂにより係脱自在に取り付け可能に形成している。
【００１８】
図４に明瞭に示している張り調整部材６は、上記カバー部材７の筒状部９に備えている係止片１１ａに対して係脱自在の一対の係合部片１１ｂを表裏に備えると共に、該係合部片１１ｂと一体に形成されて、弾性的に湾曲してスクリーン４の内側面をガイドする軟質の合成樹脂製のガイド面６ａを備えたものであり、上記筒状部９の係止片１１ａに対して係合部片１１ｂを係合させて張り調整部材６を保持させることにより、該ガイド面６ａに沿って、端部の係合子４ｂを上記スリット１０に保持させたスクリーン４を、開放口部８を通してカバー部材７から導出させるものである。
【００１９】
この張り調整部材６は、一定の断面形状の長尺材として成形しておき、それを除去しようとするスクリーンの弛みに応じて必要な幅に切断して使用するのが望ましく、その幅を大きくすれば、それを配設する部分に大きな緊張力を付与することが可能になり、逆に張り調整部材６によって緊張力を付与する必要がない部分にはそれを配設する必要はない。上記張り調整部材６は、上述したような長尺材の切断によることなく、複数の適宜長さのものを成形して用いることもできる。
【００２０】
なお、張り調整部材６をどの程度の幅にすれば、どの程度の緊張力を付与できるかは、使用する張り調整部材６の素材等によっても差異があるため、必ずしも容易に判断できるものではなく、そのため、どのような弛みがある位置にどの程度の張り調整部材６を配設すれば、スクリーン４にどの程度の緊張度を付与できるかは、或る程度の試行錯誤の繰り返しにより判断力を得る必要がある。
【００２１】
上記ガイド面６ａを形成する素材としては、複数種の異なる弾力性を有する合成樹脂を用いることもでき、また、係合部片１１ｂを張り調整部材６の表裏に設けているのは、上述のようにガイド面６ａの弾力性をスクリーン４の緊張力として利用する場合に、長期の使用によって係合部片１１ｂが損傷したり、ガイド面６ａの弾力性等に変化が生じた場合に、その張り調整部材６を表裏反転して再利用可能にするものである。
更に、上記張り調整部材６は、そのガイド面６ａの弾力性をスクリーン４の緊張力として用いることを考慮したものであるが、スクリーン４自体の伸長時に生じる弾力性を主たる緊張力とすることもでき、この場合には、図５に示すように、比較的硬質の合成樹脂材により弾性変形部分が少ない形状のものとした硬質の張り調整部材６′を用いることもできる。
【００２２】
開口部枠１へのスクリーン４の張設に際しては、側端を予め前記縦レール５にガイドさせたスクリーン４の上下対向端の係合子４ｂを、上記一対のカバー部材７，７における各筒状部９，９のスリット１０に係合させて、それぞれ上下の横枠３，３に未装着のカバー部材７内からスクリーン４が導出されている状態で、両カバー部材７，７の筒状部９に上記張り調整部材６を取り付けることになるが、該張り調整部材６の取り付けに際しては、スクリーン張設面におけるスクリーン４の弛みを予め知得しておき、或いはそれを予測して、該スクリーン４の弛みに応じ、ガイド面６ａの幅、数、或いは該張り調整部材６の取付位置を選択し、カバー部材７の内側係合縁７ｂにおける必要位置の係止片１１ａに対して、係合部片１１ｂにより上記張り調整部材６を部分的に取り付け、スクリーン４の全体的な緊張度を調整できるように、張り調整部材６のガイド面６ａを配設することになる。
【００２３】
更に具体的に説明すると、スクリーン４の弛み領域に緊張力を付与するには、何れの筒状部９におけるどの位置に、どの程度の幅を持つガイド面６ａを用いるか、またガイド面６ａをいくつかに分割して配列させる場合等には、それらの張り調整部材６の配列状態をどのようにするかを定め、それに従って、上記カバー部材７内から開放口部８を経て導出するスクリーン４の内側面に張り調整部材６のガイド面６ａを当接させるように、該張り調整部材６を取り付けることになる。
【００２４】
図６及び図７は、建物開口部の経時的な変形、或いはその他の何らかの理由で、本来は２点鎖線で示す位置にあった開口部枠１の横枠３，３が実線で示す位置まで変形し、結果的に、図中に点線で囲むような弛み領域Ｓが生じた場合を模式的に示し、その弛みを除去する作業の概要を説明するためのものである。スクリーン４の洗浄や損傷に伴う交換を行う場合、或いは、開口部枠１のゆがみによってスクリーン４の弛み領域Ｓが移動したような場合においても、同様な作業を行えばよいのは勿論である。
【００２５】
例えば、スクリーン張設面に張設しようとするスクリーン４に、図６或いは図７に例示しているように、張設するスクリーン４に点線で囲むような弛み領域Ｓが生じた場合、カバー部材７の内側係合縁７ｂに部分的に取り付けてスクリーン４をガイドさせるガイド面６ａとして、図中に符号Ａで示しているような外形のガイド面６ａを持つ張り調整部材６が適していると考えられるなら、カバー部材７を取り外してそれを試用してみればよく、仮に、そのガイド面が不適切なものであったとしても、それを用いた場合のスクリーン４の弛みから、適切なガイド面６ａの形状を容易に知得することができる。また、スクリーン４の弛み領域Ｓの移動が見付け方向である場合などでは、単に張り調整部材６をカバー部材７の内側係合縁７ｂに沿ってその方向に移動させるだけでよい。
【００２６】
図８及び図９は、本発明に係るスクリーン装置の第２実施例を示している。この第２実施例は、上記第１実施例のように、スクリーン４を緊張させるための張り調整部材６やカバー部材７が上下に対称状に配設されていて、スクリーンの比較的複雑な弛みに対しても対応できるものに対し、上記張り調整部材６等をスクリーン４の上下いずれかの端部にだけ設けて、比較的単純なスクリーン４の弛みを除去するために適したものである。
【００２７】
この第２実施例の構成を具体的に説明すると、建物開口部に張設するスクリーン４の左右側端に沿ってそれぞれ設けた係合子（図示省略）を、該建物開口部における一対の側枠２，２にそれぞれ設けた縦レール５のスリット５ａの内側に係合させて、該側枠２，２間にスクリーン４を張設するという基本的な構成では、第１実施例と変わるところがないが、この第２実施例では、該スクリーン４の上下のいずれか一端を横枠３に対して任意の連結部材１５を用いて取り付けたスクリーン装置において、スクリーン４の他端に第１実施例において詳細に説明した張り調整部材６やカバー部材７を配設することにより、該スクリーンの緊張度を調整できるように構成している。
【００２８】
図９において、スクリーン４の下端を下部の横枠３に連結している連結部材１５は、スクリーン４の下端に連結している係合子４ｂを、合成樹脂で形成した可撓の挟持部片１６の折曲部において挟持させ、それによって、係合子４ｂを挟持しながらも弾性的に拡開傾向を持つ挟持部片１６を、下部の横枠３に固定した受け溝１７内に圧嵌することにより、該挟持部片１６と共にスクリーンを保持させたものであるが、該スクリーンの固定は、かかる構成に限るものではなく、各種構造を採用することができる。また、第２実施例ではスクリーン４の下端を下部の横枠３に取り付けた構成を備えているが、スクリーン４の上端を上部の横枠３に取り付け、上記張り調整部材６やカバー部材７等を下部の横枠３に沿って配設することもできる。
【００２９】
この第２実施例において用いるところの、スクリーンの張り調整部材６やそれを覆うカバー部材７等の、スクリーンの弛みを除去するための構成は、上述したように、第１実施例の構成と変わるところがなく、そのため、それらを利用してスクリーンに生じた弛みを除去し、緊張状態を調整する方法も、第１実施例の場合と変わるところがない。
そのため、図１〜図７を参照して先に詳述したところの、スクリーンの弛みを除去するための構成，作用の説明を援用し、ここでは、それらについての説明は省略する。
【００３０】
以上においては、本発明の実施例に係るスクリーン装置の構成と共に、該スクリーン装置においてスクリーンの緊張度を調整する方法例について説明したが、当該方法例、つまり、スクリーン張設面におけるスクリーン４の弛みに応じて、建物開口部における上下の横枠３に取り付けた上記カバー部材７を取り外し、該カバー部材の内側係合縁７ｂに設けた筒状部９に対して部分的に取り付けている張り調整部材６のガイド面６ａの幅、数、或いは取付位置を変更することにより、スクリーン４の全体的な緊張度を調整する方法は、本発明の「スクリーン装置におけるスクリーンの緊張度調整方法」そのものであり、そのため、本発明の緊張度調整方法については、説明が重複するのを避けてそれを省略する。
【符号の説明】
【００３１】
２      側枠
３      横枠
４      スクリーン
５      縦レール
６，６′    張り調整部材
６ａ    ガイド面
７      カバー部材
８      開放口部
９      筒状部
１２      ブラケット
【図１】
2018204250.tif 000003
【図２】
2018204250.tif 000004
【図３】
2018204250.tif 000005
【図４】
2018204250.tif 000006
【図５】
2018204250.tif 000007
【図６】
2018204250.tif 000008
【図７】
2018204250.tif 000009
【図８】
2018204250.tif 000010
【図９】
2018204250.tif 000011